(57)【要約】【課題】従来のオートバイ、スクータ、各種の自転車等は現状の駐輪の駐輪スペースの確保が極めて困難であり、社会的にも大問題になっていた。【解決手段】本発明のハンドルが折りたためられる、オートバイ、スクータ含む各種の自転車と、従来のオートバイ、スクータ、各種の自転車等にも、改造キットの製造販売で解決出来る。【選択図】図２
2018100067.tif 000002
【特許請求の範囲】
【請求項１】
ハンドルが折りたためられるオートバイ、スクータ含む二輪、三輪、四輪の各種の自転車。
【請求項２】
ワンタッチでハンドルを折りたためる、ボルトナット等を備えているオートバイ、スクータ含む各種の自転車。
【請求項３】
折りたたんだハンドルを上に、持ち上げて元の状態の折りたたむ、前に戻すスイッチ等を備えたオートバイ、スクータ含む各種の自転車で、右のみ、左のみ、左右の両方とハンドルの切り替えも出来る。
【請求項４】
金属のＩＣタグを備えた次世代オートバイ、スクータ含む各種の自転車。
【請求項５】
従来のオートバイ、スクータ含む各種の自転車をハンドルが、折りたためられる様にした改造出来るキット。
【請求項６】
従来のオートバイ、スクータ含む各種の自転車の、ハンドルが折りたためられる改造出来るキット。
【請求項７】
ＳＰコードやＱＲコード等の各種二次元コードと、一次元バーコードを金属やセラミックス等に、印刷では無く刻印して、装着可能な次世代オートバイ、スクータ含む各種の自転車。
【請求項８】
図３の［ｉＤペンダントＤＳ］を装着可能な次世代オートバイ、スクータ含む各種の自転車。
【請求項９】
電子カルテと連動する金属やセラミックス等に、印刷では無く刻印して、装着可能な次世代のオートバイ、スクータ含む各種の自転車。
【請求項１０】
一次元バーコードやＳＰコード、ＱＲコード等の各種二次元コードを装着出来る次世代のオートバイ、スクータ含む各種の自転車。
【請求項１１】
各種のＩＣタグと一次元バーコードやＳＰコード、ＱＲコード等の各種二次元コードを装着出来る次世代のオートバイ、スクータ含む各種の自転車。
【請求項１２】
一次元バーコードやＳＰコード、ＱＲコード等の各種二次元コードの音声化装置を、備えた次世代のオートバイ、スクータ含む各種の自転車。
【請求項１３】
加速度センサーや、地磁気センサー等を備えた次世代のオートバイ、スクータ含む各種の自転車。
【請求項１４】
ＧＰＳ等の位置情報取得可能な、アンドロイド、アイフォン等の携帯情報端末等を搭載可能な、次世代オートバイ、スクータ含む各種の自転車。
【請求項１５】
前や後の荷台等にヘルメットや雨具等が格納出来るオートバイ、スクータ含む各種の自転車。
【請求項１６】
前や後の荷台等に犬や猫等のペットが格納できる、オートバイ、スクータ含む各種の自転車。
【請求項１７】
前や後の荷台等に鍵付きの貴重品等が格納出来る、オートバイ、スクータ含む各種の自転車。
【請求項１８】
空気入れやバンク修理キット等を備えたオートバイ、スクータ含む各種の自転車。
【請求項１９】
前や後の荷台等に弁当箱や水筒等を格納出来るオートバイ、スクータ含む各種の自転車。
【請求項２０】
前や後の荷台等に急な下痢等にも対応可能な、簡易トイレも搭載しているオートバイ、スクータ含む各種の自転車。
【請求項２１】
前や後の荷台等に打撲や捻挫等の怪我でも応急処置が出来る薬箱等を搭載しているオートバイ、スクータ含む各種の自転車。
【請求項２２】
山野を駆け巡るマンテンバイク等は、ジャンプと着地のショックが連続するため、六角ボルトの調整ネジを、外部の筐体にしっかりと固定出来る装置を有するオートバイ、スクータ含む各種の自転車。
【発明の詳細な説明】
【技術分野】
【０００１】
【背景技術】
【０００２】  特に都市部の駅前や都心部の駐輪場の確保が極めて困難に成っている。現状の駐輪場をそのまま有効活用できるメリットは非常に大きい。特に各自治体の支援策として、ハンドルが折りたためる自転車の購入者に対して、助成金や補助金等の支援を必ず実施すべきだ。【０００３】  図１は従来の自転車で、両隣の自転車とハンドルがぶつかり合い、スペースの確保が極めて困難である。確かに両隣は低く成っているものの、ハンドルが交せないためにスペースが必須だが、図２は本発明のハンドルが折りたためる自転車で駐輪スペースが約２分の一で済むから、２倍の台数が確保できるメリットは非常に大きい。
【先行技術文献】
【特許文献】
【０００４】
【特許文献１】特許第３４９９２２０号、二次元コード、二次元コードの読み取り方法、プログラムおよびコンピュータ読み取り可能な記録媒体。他
【特許文献２】特許第４７４４７４５、二次元コード。
【特許文献３】特願２００６−１４８９４７ＩＣタグと各種コードを活用した主に人と物の管理・運営システム特許出願済み。
【特許文献４】特許第５１８４６７２号、二次元コードの読み取り方法、およびプログラム。
【特許文献５】特許第４７７２６３１号、二次元コード音声化装置、二次元コード音声化方法およびプログラム。
【特許文献６】特許第４４３９７５６号、二次元コード音声化装置および二次元コード音声化方法
【非特許文献】
【０００５】
【非特許文献１】
【非特許文献２】
【発明の概要】
【発明が解決しようとする課題】
【０００６】  以上に述べた現状の駐輪場は、自転車は両隣の自転車のハンドル同士が、ぶつからない様確かに、上下に成っているものの、ハンドルがかわし切れないために、両隣に広いスペースが必須条件だった。
【課題を解決するための手段】
【０００７】  本発明はハンドルを折りたたむ事により、従来の自転車の駐輪スペースの確保が極めて困難だったが、現状の駐輪場のスペースのまま、約倍以上の台数が確保できるメリットは、極めて大きい。折りたたむ装置はあくまでも一例に過ぎず、ハンドルを折りたたむめる事が本発明の第一義の目的である。【０００８】
【発明の効果】
【０００９】  上述したように本発明の自転車は、現状の駐輪場のままハンドルを折りたためられるから、駐輪スペースが現状の２倍以上の台数が確保できる。
更に購入時に警視庁等からの鑑札を付けているが、自転車のカギは簡単に外せるため、警視庁等への盗難届の連絡も、特に夜間や深夜での確認作業に時間がかかった。なかなか発見できないケースも多い。
特に近くの駅に乗り捨てられることが最も多いが、そのまま日本製の自転車やスクータ、オートバイは東南アジアなどでも人気が高く、海外に転売する業者も多かった。
金属用のＩＣタグを取り付ければ、どんなに広く複雑な駐輪場でも海外でも、読み取り施設が必要になるが、簡単に自分の自転車を探せる上に、自分の自転車を公的にも証明できるので依り安全である。
更にＳＰコードや、ＱＲコード等の各種二次元コード、一次元バーコード等を金属やセラミックス等に印刷ではなく刻印すれば、面倒な自転車のカギを持たなくとも、自動車と同じ電子ロックでインターネット環境であれば、海外からでもロックの確認が実施できる。
更に盗難は勿論、自分が交通ルールを守っていても、突然自動車が突っ込んで来て、頭を強打して意識不明に成る、ひき逃げ事故が多発しているのが、日常の実態である事は既に周知の通りである。特に最近は高齢者の迷走運転や、特に最近は高齢者の運転が、病気や認知症等の持病等の発作の事故が多発しているが、正に走る殺人や凶器になっている。
大量の出血等で心肺停止で等で意識不明の場合や、巨大地震等で生き埋め等で、意識不明等の場合は、レス救隊員が命がけで救助しても、意識がない場合は持病、難病、アレルギー、禁止薬品や透析患者等も血液型や住所、氏名、年齢等の電子カルテ等を病院に、運ばれてから調べていては、手遅れで助かる命も助からない。本発明は例え意識不明でもペンダントや、バンド等への組み込みで消防庁や、消防署の救急車やパトカー等に、当社のＳＰコードが読み取れるので死亡等の最悪事態は避けられる。
少なくとも運転手は全員着用すべきである。
【図面の簡単な説明】
【００１０】
【図１】  従来型の自転車のハンドル周辺の背面図
【図２】  本発明のハンドルが折りたためられるハンドル周辺の背面図
【図３】  六角ボルトを手のひら等で下に押し込んで、ハンドルが固定した通常の運転時。
【図４】  ハンドルを折りたためられる装置の断面図である。ハンドルを折りたたむ際のスイッチ装置の一例
【図５】  ハンドルを折りたたむ際の安全装置の一例
【図６】  金属やセラミックス等で、表面には本人確認の顔写真、裏面には電子カルテ等と連動した持病・難病、アレルギー、人工透析、禁止薬、等を印刷では無く刻印したペンダント等の一例の、助かる命は必ず助ける［ｉＤペンダントＤＳ］である。特にアンドロイドや、アイフォン等の携帯電話等の、最近はパスワード等の、個人情報が読み盗られない様に、セキュリティーは必ずサーバーにて管理しているが、通信がつながるＯＮラインが、絶対条件になっているのが実態である。当社の特許実施権、著作権取得済みのＳＰコードは、電波のつながるＯＮラインは勿論、電波のつながらないＯＦＥラインでも使える。海外での事件や事故等に遭遇しても、世界で創めて当社が一つのコードで、英語、日本語、中国語などの３ケ国にも対応した。ＳＰコードは多言語化が容易なので、日本在住の、日本語が良く理解出来ない外国人や、英語が話せない日本人等の情報弱者等の救済と、国際会議やオリンピック、パラリンピックにも大きな威力を発揮済みである。前回の東北、東日本巨大地震にも地震や津波に、助かった特に若い世帯主が電子カルテ等も流され手遅れで、避難場所等で数百人が将来を悲観して、病気やノイローゼ等で自殺している。若い奥さんや子供達が途方に暮れたが、遺憾なく実力を発揮して、多くの命を救った実績がある。メルボルンオリンピックと、パラリンピックにも当時は、英語版と日本語が使われた実績済みである。
【図７】  金属対応のＩＣタグの一例である。
【図８】  山や谷等を駆け巡るマウンテンバイク等の、筐体を固定する六角ボルトと調整ネジである。
【発明を実施するための形態】
【００１１】  以下、本発明の実施の形態を図１〜図６に基いて説明する。
【実施例】
【００１２】  図における１は従来型の自転車のハンドル周辺の背面図で、左右の駐輪スペースの確保が必須で極めて困難である。【００１３】  本発明のハンドルが折りたためられるハンドル周辺の背面図で、左右の駐輪スペースが従来型の自転車の２倍以上の駐輪が実施出来るメリットは大きい。
【産業上の利用可能性】  欧米等では以前から自転車がブームで、自転車専用道路の設置を拡張し続けている。各自治体や民間各社も、健康面でも運動不足の解消と、基礎体力の増強にも良いことから積極的に自転車通勤を、奨励している。
本発明の世界で初めての、ハンドルが折りたためられる、自転車は日本だけでは無く国際的にも産業分野でも、大手の自転車やオートバイ、スクータと各種自転車の製造各社にとっても、販売代理店は勿論、新たな雇用の促進が激増し、各自治体にとっても、税収のアップが期待出来る。
更に、本発明のハンドルが折りたためられる、オートバイ、スクータと各種自転車の改造キットの製造販売で、個人経営の、オートバイ、スクータ、各種自転車屋さんまで新たな大きな仕事と営業活動が実施できる。
【符号の説明】
【００１４】１    六角ボルトで手のひら等で下に押し込む、右側、左側と両方にも分けられる
２    調整ネジ
３    ハンドルを折りたたむ時には、矢印の内側に押し込むスイッチ
４    スイッチの両外側は、手等が痛くない様に柔らかいクッション材
５    子供用は、中に小型のオイルダンパー
６    助かる命は助ける［ｉＤペンダントＤＳ］のチェーン取付け用の穴
７    金属用ＩＣタグの本体取り付け用穴
８    前かご取り付け用金具
９    マウンテンバイク等の筐体外部に固定するボルト等
【図１】
2018100067.tif 000003
【図２】
2018100067.tif 000004
【図３】
2018100067.tif 000005
【図４】
2018100067.tif 000006
【図５】
2018100067.tif 000007
【図６】
2018100067.tif 000008
【図７】
2018100067.tif 000009
【図８】
2018100067.tif 000010